(57)【要約】【課題】昇圧回路を有する回路装置の小型化を実現する。【解決手段】所定の入力電圧で起動すると共に、入力電圧をより高い第１の昇圧電圧に変換する第１の昇圧回路１２と、第１の昇圧回路１２に接続され、第１の昇圧電圧を充電するキャパシタ３１と、第１のスイッチ素子１３を介してキャパシタ３１と接続され、キャパシタ３１の蓄電電圧で起動すると共に、入力電圧を第１の昇圧電圧より高い第２の昇圧電圧に変換する第２の昇圧回路２２と、第２の昇圧回路２２の出力端子２６とキャパシタ３１とを接続する第２のスイッチ素子２３と、を備え、第１のスイッチ素子１３は、第２の昇圧回路２２を起動するためにオンにしてキャパシタ３１の蓄電電圧を第２の昇圧回路２２へ供給し、起動後にオフにして供給を停止するスイッチであり、第２のスイッチ素子２３は、第２の昇圧回路２２の起動後にオンにして第２の昇圧電圧をキャパシタ３１へ供給するスイッチである。【選択図】図２
2008109843.tif 000002
【特許請求の範囲】
【請求項１】
所定の入力電圧で起動するとともに、前記入力電圧を、この入力電圧より高い電圧である第１の昇圧電圧に変換する第１の昇圧回路と、
前記第１の昇圧回路の出力端子に接続され、前記第１の昇圧電圧を充電するキャパシタと、
第１のスイッチ素子を介して前記キャパシタと接続され、前記キャパシタの蓄電電圧で起動するとともに、前記入力電圧を、前記第１の昇圧電圧より高い電圧である第２の昇圧電圧に変換する第２の昇圧回路と、
前記第２の昇圧回路の出力端子と前記キャパシタとを接続する第２のスイッチ素子と、を備え、
前記第１のスイッチ素子は、前記第２の昇圧回路を起動するためにオンにして前記キャパシタの蓄電電圧を前記第２の昇圧回路へ供給し、前記第２の昇圧回路の起動後にオフにして供給を停止するためのスイッチであり、
前記第２のスイッチ素子は、前記第２の昇圧回路の起動後にオンにして前記第２の昇圧電圧を前記キャパシタへ供給するためのスイッチであることを特徴とした回路装置。
【請求項２】
前記第２の昇圧電圧を検出する電圧検出回路をさらに備え、
前記第２の昇圧回路の起動後に前記第２のスイッチ素子をオンにした際、前記電圧検出回路にて前記第２の昇圧電圧が前記第２の昇圧回路を駆動するために必要な所定の基準電圧未満と判断された場合に、この第２のスイッチ素子をオフにするようにした請求項１に記載の回路装置。
【請求項３】
所定の入力電圧を前記入力電圧より電圧が高い昇圧電圧に変換する昇圧動作に寄与するキャパシタと、
前記キャパシタを昇圧動作以外の用途に切り替え可能なキャパシタ切替手段と、
を備えることを特徴とする回路装置。
【請求項４】
前記昇圧動作以外の用途が前記昇圧電圧の平滑化であることを特徴とする請求項３に記載の回路装置。
【発明の詳細な説明】
【技術分野】
【０００１】
本発明は、昇圧回路を有する回路装置に関する。
【背景技術】
【０００２】
一般に電力を供給する電源からの直流電源電圧を所望の直流電圧値に昇圧する装置として昇圧ＤＣ／ＤＣコンバータが知られている。近年では、供給する電力の電圧が昇圧ＤＣ／ＤＣコンバータの起動電圧未満の電圧となってしまう電源が増えてきており、こうした電源でＤＣ／ＤＣコンバータを起動するための補助電源を併設する方法が提案されている（たとえば、特許文献１参照）。
【０００３】
図４は特許文献１における従来の昇圧回路を備えた回路装置の回路図である。
【０００４】
特許文献１には、電力を供給する電源１０１と、電力で起動するとともに、電力を、この電力の電圧よりも高い電圧に変換する第１の昇圧回路（補助電源）１０２と、第１の昇圧電力で起動するとともに、電力を、この電力の電圧よりも高い電圧の第２の昇圧電力に変換し、この第２の昇圧電力で動作を持続する第２の昇圧回路（ＤＣ／ＤＣコンバータ）１０３と、第２の昇圧電力で動作するとともに所望の機能を果たす負荷回路１０４と、第１の昇圧電力を充電するキャパシタ１０５と、キャパシタ１０５の電圧を検出するとともに、このキャパシタ１０５の電圧に応じた電圧検出信号を出力する電圧検出回路１０６と、電圧検出信号で制御されるスイッチ素子１０７を有し、さらに、第１の昇圧回路１０２は第２の昇圧回路１０３よりも起動電圧が低い特徴を有し、キャパシタ１０５の蓄積電力は、スイッチ素子１０７を介して第２の昇圧回路１０３を起動するために第２の昇圧回路１０３に供給され、キャパシタ１０５の電圧が電圧検出回路１０６にて所定電圧以上であると判断された場合、スイッチ素子１０７をオンし、スイッチ素子１０７がオフしている際に蓄電されたキャパシタ１０５の蓄電電力を、第２の昇圧回路１０３を起動するために第２の昇圧回路１０３へ供給することを特徴とした電子機器（回路装置）が開示されている。
【０００５】
こうした従来の電子機器では、第２の昇圧回路１０３を起動するのに十分な電力を第１の昇圧回路１０２によりキャパシタ１０５に充電した後、スイッチ素子１０７をオンしてキャパシタ１０５の蓄電電力で第２の昇圧回路１０３を起動する。第２の昇圧回路１０３が一旦起動し始めると、自力で内部回路を動作するようになるので、スイッチ素子１０７をオフしてキャパシタ１０５の蓄電電力の第２の昇圧回路１０３への供給を停止する。このようにすることで、電源１０１の電力を第２の昇圧回路１０３によって第２の昇圧電力まで昇圧することができ、負荷回路１０４に電力を供給し動作させることができるようになる。
【特許文献１】特開２００６−０２０４９１号公報
【発明の開示】
【発明が解決しようとする課題】
【０００６】
上記した従来の電子機器（回路装置）の構成では述べていないが、一般に第２の昇圧回路（ＤＣ／ＤＣコンバータ）１０３には、その出力端子１２７と負荷回路１０４との間に大きな容量値の出力平滑キャパシタを接続して使用する。近年では、こうした電子機器（回路装置）に対してその小型化・高密度化が強く求められているが、電子機器を構成する回路素子（ＤＣ／ＤＣコンバータ、補助電源、スイッチ素子、キャパシタなど）自体の大きさが制約となり、その小型化・高密度化に限界があった。
【０００７】
本発明は上記事情を踏まえてなされたものであり、その目的は、昇圧回路を有する回路装置の小型化を実現する技術を提供することにある。
【課題を解決するための手段】
【０００８】
本発明のある態様は、回路装置である。当該回路装置は、所定の入力電圧で起動するとともに、入力電圧を、この入力電圧より高い電圧である第１の昇圧電圧に変換する第１の昇圧回路と、第１の昇圧回路の出力端子に接続され、第１の昇圧電圧を充電するキャパシタと、第１のスイッチ素子を介してキャパシタと接続され、キャパシタの蓄電電圧で起動するとともに、入力電圧を、第１の昇圧電圧より高い電圧である第２の昇圧電圧に変換する第２の昇圧回路と、第２の昇圧回路の出力端子とキャパシタとを接続する第２のスイッチ素子と、を備え、第１のスイッチ素子は、第２の昇圧回路を起動するためにオンにしてキャパシタの蓄電電圧を第２の昇圧回路へ供給し、第２の昇圧回路の起動後にオフにして供給を停止するためのスイッチであり、第２のスイッチ素子は、第２の昇圧回路の起動後にオンにして第２の昇圧電圧をキャパシタへ供給するためのスイッチであることを特徴とする。
【０００９】
この発明によれば、第１の昇圧電圧を充電するためのキャパシタと第２の昇圧電圧を充電するためのキャパシタとが共有され、２つ必要であったキャパシタが１つとなり、回路装置の小型化および低コスト化を図ることができる。
【００１０】
上記構成において、第２の昇圧電圧を検出する電圧検出回路をさらに備え、第２の昇圧回路の起動後に第２のスイッチ素子をオンにした際、電圧検出回路にて第２の昇圧電圧が第２の昇圧回路を駆動するために必要な所定の基準電圧未満となるのを防止するために、この第２のスイッチ素子をオフにするようにしたことを特徴とする。このようにすることで、キャパシタの充電が不十分である場合（蓄電電圧が低い場合）、これに起因した電圧ドロップにより第２の昇圧電圧が第１の昇圧電圧（第２の昇圧回路の駆動電圧）を下まわるのが防止され、第２の昇圧回路による昇圧動作を停止させることなく安定して行うことができるようになる。また、キャパシタの充電が不十分である場合（蓄電電圧が低い場合）、第２のスイッチ素子をオンしてからオフするまでの間に第２の昇圧電圧がキャパシタに充電され、キャパシタの蓄電電圧がわずかに増加する。電圧ドロップした第２の昇圧電圧は第２の昇圧回路による昇圧動作により所定の電圧に回復するので、こうしたオン／オフを繰り返すことでキャパシタの蓄電電圧を徐々に増加させることができ、最終的にキャパシタの蓄電電圧が所定の基準電圧以上となればオンのまま連続的に充電することができるようになる。したがって、第２のスイッチ素子により第２の昇圧回路による昇圧動作を停止させることなく安定してキャパシタに充電することができる。
【００１１】
本発明の他の態様は、回路装置である。当該回路装置は、所定の入力電圧を入力電圧より電圧が高い昇圧電圧に変換する昇圧動作に寄与するキャパシタと、キャパシタを昇圧動作以外の用途に切り替え可能なキャパシタ切替手段と、を備えることを特徴とする。この態様において、昇圧動作以外の用途が昇圧電圧の平滑化であってもよい。
【発明の効果】
【００１２】
本発明によれば、昇圧回路を有する回路装置の小型化およびコストの低減を実現することができる。
【発明を実施するための最良の形態】
【００１３】
以下、本発明を具現化した実施形態について図面に基づいて説明する。なお、すべての図面において、同様な構成要素には同様の符号を付し、適宜説明を省略する。
【００１４】
（第１実施形態）
図１は本発明の第１実施形態に係る昇圧回路を備えた回路装置の回路図である。
【００１５】
第１実施形態の回路装置は、入力電圧Ｖｉｎを出力電圧Ｖｏｕｔに変換するＤＣ／ＤＣコンバータである。この回路装置は、サブ電源モジュール１１、メイン電源モジュール２１、及びキャパシタ３１により構成される。
【００１６】
サブ電源モジュール１１は第１の昇圧回路１２と第１のスイッチ素子１３を有する。第
１の昇圧回路１２の端子（入力端子）１４および端子１５は電源３０に接続された端子１に接続されている。ここで、電源３０は所定の入力電圧Ｖｉｎをもつ電力を有する。第１の昇圧回路１２の端子（出力端子）１６は端子３にてキャパシタ３１の片方の電極と第１のスイッチ素子１３の片方の電極にそれぞれ接続されている。キャパシタ３１のもう片方の電極はグランド（ＧＮＤ）に接地され、第１のスイッチ素子１３のもう片方の電極は第２の昇圧回路２２の端子２５と接続されている。
【００１７】
メイン電源モジュール２１は第２の昇圧回路２２と第２のスイッチ素子２３を有する。第２の昇圧回路２２の端子（入力端子）２４は電源３０に接続された端子１に接続され、第２の昇圧回路２２の端子２５は第１のスイッチ素子１３のもう片方の電極および端子２にて第２の昇圧回路２２の端子（出力端子）２６とそれぞれ接続している。なお、端子２５と端子２６（または端子２）との間にはダイオード（ショットキーダイオード）３２が設けられている。第２の昇圧回路２２の端子２６は端子４にて第２のスイッチ素子２３の片方の電極と、負荷回路３３に接続された端子２とにそれぞれ接続されている。第２のスイッチ素子２３のもう片方の電極は端子５にてキャパシタ３１の片方の電極に接続されている。
【００１８】
上記構成の第１実施形態の回路装置の動作について以下に説明する。
【００１９】
回路装置の起動初期において第１のスイッチ素子１３および第２のスイッチ素子２３はいずれもオフ（開路状態）の設定となっている。まず、サブ電源モジュール１１において電源３０に接続された端子１から第２の昇圧回路２２の起動電圧よりも低い電圧が端子１５に供給され、この電圧にて第１の昇圧回路１２が起動する。そして、起動した第１の昇圧回路１２は電源３０からの電圧を第１の昇圧電圧に変換する。これにより、第１の昇圧回路１２の端子１４に入力された入力電圧Ｖ１（＝Ｖｉｎ）は出力電圧Ｖ２として端子１６に出力される。これに伴って第１の昇圧電圧がキャパシタ３１に蓄電されはじめる。この時点では第１のスイッチ素子１３はオフ（開路状態）であるのでキャパシタ３１の電圧が上昇していく。そして、キャパシタ３１が所定電圧以上に達した場合に第１のスイッチ素子１３をオン（閉路状態）に切り替える。これにより、キャパシタ３１の蓄電電圧が第２の昇圧回路２２の端子２５に供給され、この蓄電電圧にて第２の昇圧回路２２が起動しはじめる。そして、起動した第２の昇圧回路２２は電源３０からの電圧を第２の昇圧電圧に変換する。これにより、第２の昇圧回路２２の端子２４に入力された入力電圧Ｖ３（＝Ｖｉｎ）は出力電圧Ｖ４（＝Ｖｏｕｔ）として端子２６に出力される。この第２の昇圧電圧はダイオード３２を介して端子２５に供給される。第２の昇圧電圧（出力電圧Ｖ４）が安定して第２の昇圧回路２２の起動電圧以上の電圧となれば自力で内部回路を動作するようになるので、第１のスイッチ素子１３をオフにしてキャパシタ３１の蓄電電圧の第２の昇圧回路２２への供給を停止する。さらに、ここでは、第１のスイッチ素子１３のオフに合わせて、第２のスイッチ素子２３をオンに切り替える。このようにすることで、第２の昇圧回路２２の端子２６にキャパシタ３１が接続された状態となり、第２の昇圧電圧がキャパシタ３１に蓄電され、このキャパシタ３１は負荷回路３３への出力平滑キャパシタとして機能するようになる。この結果、電源の電圧（入力電圧Ｖｉｎ）を第２の昇圧回路２２によって第２の昇圧電圧（出力電圧Ｖｏｕｔ）まで昇圧することができるとともに、負荷回路３３に所望の電圧を安定して供給し動作させることができる。
【００２０】
以上説明した第１実施形態の回路装置によれば、以下のような効果を得ることができるようになる。
（１）所定の入力電圧で起動するとともに、入力電圧を、この入力電圧より高い電圧である第１の昇圧電圧に変換する第１の昇圧回路１２と、第１の昇圧電圧を充電したキャパシタ３１の蓄電電圧で起動するとともに、入力電圧を、第１の昇圧電圧より高い電圧である第２の昇圧電圧に変換する第２の昇圧回路２２とによって電源３０の電圧（入力電圧Ｖｉ
ｎ）を第２の昇圧電圧（出力電圧Ｖｏｕｔ）まで昇圧することができる回路装置において、第２の昇圧回路２２の起動後に第２の昇圧電圧をキャパシタ３１へ供給するための第２のスイッチ素子２３を設けたことで、第１の昇圧回路１２による第１の昇圧電圧を充電するためのキャパシタと第２の昇圧回路２２による第２の昇圧電圧を充電するためのキャパシタとが共有され、２つ必要であったキャパシタが１つとなり、回路装置の小型化および低コスト化を図ることができる。
【００２１】
（第２実施形態）
図２は本発明の第２実施形態に係る昇圧回路を備えた回路装置の回路図である。第１実施形態の回路装置と異なる箇所は、第２のスイッチ素子２３のオン／オフ動作を電圧検出回路２７によりモニターしながら制御していることである。ここで、電圧検出回路２７は比較器（コンパレータ）であり、その内部における基準電圧Ｖ５（＝Ｖ２＋α：第２の昇圧回路２２の起動電圧である第１の昇圧回路１２の出力電圧Ｖ２に電圧変動マージンαを加えた電圧に相当）と第２の昇圧回路２２の端子２６側に設けられた端子６における電圧Ｖ６（第２の昇圧回路２２の出力電圧Ｖ４に相当）とを比較し、端子６における電圧Ｖ６が基準電圧Ｖ５以上であれば第２のスイッチ素子２３をオン（閉路状態）にし、基準電圧Ｖ５未満であればオフ（開路状態）に切り替える機能を有する。それ以外については、第１実施形態で説明した回路装置の構成および動作と同様である。
【００２２】
以上説明した第２実施形態の回路装置によれば、第１実施形態の上記（１）の効果に加え、以下のような効果を得ることができるようになる。
（２）第２の昇圧回路２２の起動後に第２のスイッチ素子２３をオンにした際、電圧検出回路２７にて第２の昇圧回路２２の出力電圧Ｖ４が基準電圧Ｖ５（第１の昇圧回路１２の出力電圧Ｖ２＋α）未満と判断された場合に、この第２のスイッチ素子２３をオフにするようにしたことで、キャパシタ３１の充電が不十分である場合（蓄電電圧が低い場合）に、これに起因した電圧ドロップにより第２の昇圧回路２２の出力電圧Ｖ４が第１の昇圧回路１２の出力電圧Ｖ２を下まわるのが防止され、第２の昇圧回路２２による昇圧動作を停止させることなく安定して行うことができるようになる。
（３）キャパシタ３１の充電が不十分である場合（蓄電電圧が低い場合）、第２のスイッチ素子２３をオンしてからオフするまでの間に第２の昇圧電圧がキャパシタ３１に充電され、キャパシタ３１の蓄電電圧がわずかに増加する。電圧ドロップした第２の昇圧回路２２の出力電圧Ｖ４は第２の昇圧回路２２による昇圧動作により所定の電圧に回復するので、こうしたオン／オフを繰り返すことでキャパシタ３１の蓄電電圧を徐々に増加させることができ、最終的にキャパシタ３１の蓄電電圧が基準電圧Ｖ５以上となればオンのまま連続的に充電することができるようになる。したがって、第２のスイッチ素子２３により第２の昇圧回路２２による昇圧動作を停止させることなく安定してキャパシタ３１に充電することができる。
【００２３】
（第３実施形態）
図３は本発明の第３実施形態に係る昇圧回路を備えた回路装置の回路図である。本実施形態の回路装置は入力電圧Ｖｉｎを出力電圧Ｖｏｕｔに変換するチャージポンプ回路である。回路装置１００は、４段チャージポンプであり、ＶｉｎとＶｏｕｔとの間の伝達経路に閾値電圧ＶｄのダイオードＤ１〜Ｄ４が直列接続されている。当該伝達経路には、キャパシタＣ１〜Ｃ３が並列に接続されている。すなわち、ダイオードＤ１とダイオードＤ２との間の接続点Ｎ１にキャパシタＣ１が接続されている。また、ダイオードＤ２とダイオードＤ３との間の接続点Ｎ２にキャパシタＣ２が接続されている。また、ダイオードＤ３とダイオードＤ４との間の接続点Ｎ３にキャパシタＣ３が接続されている。
【００２４】
キャパシタＣ１およびキャパシタＣ３には、インバータ１１０を介して同相のクロックＣＬＫが印加され、キャパシタＣ２にはインバータ１１２を介してクロックＣＬＫとは逆相のクロックＣＬＫｂが印加される。
【００２５】
また、キャパシタＣ１、Ｃ２、Ｃ３とそれぞれ並列接続可能なキャパシタＣ１’、Ｃ２’、Ｃ３’が設けられている。具体的には、キャパシタＣ１’の一方の端子がダイオードＤ１とダイオードＤ２との間の接続点Ｎ１’とＶｏｕｔに接続された接続点Ｎ４とで切り替え可能になっている。キャパシタＣ１’の他方の端子がクロックＣＬＫが印加される接続点Ｎ５とグランドとで切り替え可能になっている。また、キャパシタＣ２’の一方の端子がダイオードＤ２とダイオードＤ３との間の接続点Ｎ２’とＶｏｕｔに接続された接続点Ｎ６とで切り替え可能になっている。キャパシタＣ２’の他方の端子がクロックＣＬＫｂが印加される接続点Ｎ７とグランドとで切り替え可能になっている。また、キャパシタＣ３’の一方の端子がダイオードＤ３とダイオードＤ４との間の接続点Ｎ３’とＶｏｕｔに接続された接続点Ｎ８とで切り替え可能になっている。キャパシタＣ３’の他方の端子がクロックＣＬＫが印加される接続点Ｎ９とグランドとで切り替え可能になっている。
【００２６】
次に本実施形態に係る回路装置の動作について説明する。まず、チャージポンプ起動時には、キャパシタＣ１’〜Ｃ３’の一方の端子が、それぞれＮ１’〜Ｎ３’に接続される。キャパシタＣ１’およびＣ３’の他方の端子には、クロックＣＬＫが印加される。また、キャパシタＣ２’の他方の端子には、クロックＣＬＫｂが印加される。これにより、キャパシタＣ１〜Ｃ３に加えて、キャパシタＣ１’〜Ｃ３’がポンプ動作に寄与する。
【００２７】
具体的には、クロックＣＬＫがＬレベル（０Ｖ）のとき、接続点Ｎ１（Ｎ１’）の電圧ＶＮ１はＶｉｎ−Ｖｄであり、その後、クロックＣＬＫがＨレベル（Ｖｉｎ）になると、接続点Ｎ１（Ｎ１’）の浮遊容量値を無視すると、電圧ＶＮ１は容量結合により２Ｖｉｎ−Ｖｄとなる。
【００２８】
クロックＣＬＫがＨレベルのとき、クロックＣＬＫｂはＬレベルであるため、接続点Ｎ２（Ｎ２’）の電圧ＶＮ２は２（Ｖｉｎ−Ｖｄ）であり、その後、クロックＣＬＫｂがＨレベルになると、接続点Ｎ２（Ｎ２’）の浮遊容量値を無視すると、電圧ＶＮ２は容量結合により３Ｖｉｎ−２Ｖｄとなる。
【００２９】
さらに、クロックＣＬＫｂがＨレベルのとき、クロックＣＬＫはＬレベルであるため、接続点Ｎ３（Ｎ３’）の電圧ＶＮ２は３（Ｖｉｎ−Ｖｄ）であり、その後、クロックＣＬＫがＨレベルになると、接続点Ｎ３（Ｎ３’）の浮遊容量値を無視すると、電圧ＶＮ３は容量結合により４Ｖｉｎ−３Ｖｄとなる。ダイオードＤ４の閾値電圧Ｖｄを考慮すると、最終的に、Ｖｏｕｔは、４（Ｖｉｎ−Ｖｄ）となる。
【００３０】
チャージポンプ起動時において、キャパシタＣ１’〜Ｃ３’がポンプ動作に寄与することにより、Ｖｏｕｔがより迅速に生成される。
【００３１】
次に、Ｖｏｕｔが一旦立ち上がった後に、キャパシタＣ１’〜Ｃ３’の一方の端子が、それぞれ接続点Ｎ４、Ｎ６、Ｎ８に接続される。キャパシタＣ１’〜Ｃ３’の他方の端子は、それぞれグランドに接続される。これにより、キャパシタＣ１’〜Ｃ３’がＶｏｕｔに並列に接続され、平滑容量として機能する。
【００３２】
Ｖｏｕｔが一旦立ち上がった後には、負荷電流に対応するだけでよいので、チャージポンプ駆動能力は小さくて済む。一方、システムの誤動作を防止する観点から、ノイズによるＶｏｕｔの変動を抑制する必要がある。上述のように、キャパシタＣ１’〜Ｃ３’を平滑容量として機能させることにより、チャージポンプに必要十分な駆動能力を残すとともに、受動部品の追加なしにＶｏｕｔの平滑化を図ることができる。また、一時的に大きな負荷電流がながれ、Ｖｏｕｔが大きく落ち込んだ場合は、立ち上げ時と同様に、キャパシタＣ１’〜Ｃ３’をポンプ動作に寄与させることにより、駆動能力を一時的に上げ、高速にＶｏｕｔを回復させることができる。
【００３３】
以上説明した第３実施形態の回路装置によれば、以下のような効果を得ることができるようになる。
（４）回路装置に用いられるキャパシタを、スイッチの切り替えにより、ポンプ動作と平滑化という２つの機能を発揮させることにより、回路装置の小型化が可能となり、ひいては回路装置の低コスト化に寄与することができる。
【００３４】
本発明は、上記した各実施形態に限定されるものではなく、当業者の知識に基づいて各種の設計変更等の変形を加えることも可能であり、そのような変形が加えられた実施形態も本発明の範囲に含まれうるものである。
【００３５】
たとえば、第３実施形態の回路装置では、４段チャージポンプが例示されているが、ポンプに寄与する並列接続されたキャパシタの数は３個に限定されず、ポンプの段数は、２、３段または５段以上であってもよい。
【００３６】
また、第１〜３実施形態の回路装置において、昇圧動作以外のキャパシタの他の用途として昇圧電圧の平滑化が例示されているが、キャパシタの他の用途はこれに限定されない。
【図面の簡単な説明】
【００３７】
【図１】本発明の第１実施形態に係る昇圧回路を備えた回路装置の回路図である。
【図２】本発明の第２実施形態に係る昇圧回路を備えた回路装置の回路図である。
【図３】本発明の第３実施形態に係る昇圧回路を備えた回路装置の回路図である。
【図４】従来の昇圧回路を備えた回路装置の回路図である。
【符号の説明】
【００３８】
１〜６・・・端子、１１・・・サブ電源モジュール、１２・・・第１の昇圧回路、第１のスイッチ素子、１４〜１６・・・端子、２１・・・メイン電源モジュール、２２・・・第２の昇圧回路、２３・・・第２のスイッチ素子、２４〜２６・・・端子、２７・・・電
圧検出回路、３０・・・電源、３１・・・キャパシタ、３２・・・ダイオード、３３・・・負荷回路、Ｖｉｎ・・・入力電圧、Ｖｏｕｔ・・・出力電圧、Ｖ１，Ｖ３・・・入力電圧、Ｖ２，Ｖ４・・・出力電圧、Ｖ５・・・基準電圧、Ｖ６・・・電圧。  
【図１】
2008109843.tif 000003
【図２】
2008109843.tif 000004
【図３】
2008109843.tif 000005
【図４】
2008109843.tif 000006